(57)【要約】【課題】従来の共通増幅装置においては、外部からの供給電圧が予め設定された電圧以下に低下したことを電源部で検出し、このことを制御部で認知したときに共通増幅装置の増幅動作を自動的に停止させる構成となっていた。この電圧低下が制御部も動作し得ないほどに低下している場合があり、このような場合には上位装置側からの復帰動作は不可能であった。このため、電源電圧が自動復帰の制御可能な範囲の判定が可能な共通増幅装置の実現が課題となっていた。【解決手段】電源電圧に対して、増幅動作可能範囲と制御可能範囲との２範囲を設定し、供給電源電圧がどちらの範囲に属しているかを判定し、共通増幅装置を自動復帰させるか、操作員が現地に赴いて原因調査と対策処理を行なった後に復帰処理を行なうかを上位装置側で決定可能とした。【選択図】  図２
2004235721.tif 000002
【特許請求の範囲】
【請求項１】
外部の電源から電力が供給されて動作する共通増幅装置において、
前記供給される電力による入力電源電圧の電圧計測手段と、
前記計測された入力電源電圧と前記共通増幅装置の増幅動作に障害を及ぼす限界電圧を示す第１の規定電圧値との比較手段と、
前記入力電源電圧が前記第１の規定電圧値以下で、かつ共通増幅装置の制御可能な範囲に低下した場合に第１のアラームを発する警報手段と、
前記共通増幅器の増幅動作を停止する制御手段と、
前記入力電源電圧が前記第１の規定電圧値以上に回復した場合に回復後の経過時間を測定する時間計測手段と、
前記経過時間が予め設定された時間を越えたか否かを調べる判定手段と、
前記経過時間が予め設定された時間を越えた場合は前記共通増幅装置の動作復帰を行なう制御手段と
を具備することを特徴とする共通増幅装置。
【請求項２】
前記共通増幅装置において、外部の電源から供給される電圧が増幅動作のみならず前記共通増幅装置の制御も不可能となる第２の規定電圧値以下に低下した場合、外部の電源からの電力供給を遮断する手段を有することを特徴とする請求項１に記載の共通増幅装置。
【発明の詳細な説明】
【０００１】
【発明の属する技術分野】
本発明は、外部から電力の供給を受けて稼動する移動通信網の基地局で使用される共通増幅装置と呼ばれる中継増幅器に関し、供給電圧の決定と供給を外部の電源ユニットが行ない、共通増幅装置内の各部分への電力配分および供給は、共通増幅装置内に設置された電源部が行なう構成の増幅装置に関する。
【０００２】
【従来の技術】
【特許文献１】特開平１１−２６１３４３号公報
図３は、従来の携帯電話等の基地局で用いられている共通増幅装置の電源供給系を説明するための系統図である。すなわち、従来の共通増幅装置３１では、外部に設置された電源ユニット３２より供給された電力を共通増幅装置３１内の電源部３３により主増幅器３５、誤差増幅器３６、制御部３４等の各部にそれぞれに適した電圧に変圧し供給している。共通増幅装置３１内の電源部３３は外部電源ユニット３２から供給される電圧を監視し、予め設定されている規定電圧以下に低下した場合、共通増幅装置３１内の制御部３４に、この電源電圧低下が発生した旨が通知される。制御部３４はこの通知を受けて共通増幅器の増幅動作を停止し、同時に、例えば携帯電話網の中央局（無線基地局制御局）のような基地局に対する上位装置にアラームの発生を通知する。この増幅動作の停止処理は上記（特許文献１）に記載されているように、信号の電圧レベルの低下を検出し、この電圧値が規定電圧値以下となったときに、増幅回路に供給する電源を遮断することにより実行することが出来る。このように共通増幅装置３１においては上位装置からの指示または保守員によるリセット操作が行われるまでアラーム状態、すなわち電源の遮断状態、が保持される。この状態に対するリセット操作は上位装置からの指示または操作員の操作により共通増幅装置３１内の制御部３４に対して行なわれる。
【０００３】
【発明が解決しようとする課題】
以上述べたように、従来の共通増幅装置においては、外部からの供給電圧が低下したことによる増幅動作の停止状態は、上位装置または操作員によるリセット操作が為されない限り、電源電圧が復帰しても停止状態を継続するようになっていた。しかも、制御部３４が動作不能となる位に電源供給電圧が低下すると、保守員が現地に赴き、状態復帰処理を行なうまで上位装置においては共通増幅装置３１の稼動状態の把握およびリセット等の各種操作を行なうことが出来なくなる問題があった。このため、本発明においては、外部電源電圧低下による増幅動作の自動停止処理のみならず、この外部電源電圧が復帰した場合に対しても、自動的にこの停止処理を解除することができる共通増幅装置を提供することを目的としている。
【０００４】
【課題を解決するための手段】
上記の目的を達成するために、本発明の請求項１においては、外部の電源から電力が供給されて動作する共通増幅装置において、前記供給される電力による入力電源電圧の電圧計測手段と、前記計測された入力電源電圧と前記共通増幅装置の増幅動作に障害を及ぼす限界電圧である第１の規定電圧値との比較手段と、前記入力電源電圧が前記第１の規定電圧値以下で、かつ共通増幅装置の制御可能な範囲に低下した場合に第１のアラームを発する警報手段と、前記共通増幅器の増幅動作を停止する制御手段と、前記入力電源電圧が前記第１の規定電圧値以上に回復した場合に回復後の経過時間を測定する手段と、前記経過時間が予め設定された時間を越えたか否かを調べる判定手段と、前記経過時間が予め設定された時間を越えた場合は前記共通増幅装置の動作復帰を行なう制御手段とを具備する共通増幅装置について規定している。
【０００５】
請求項２においては、前記共通増幅装置において、外部の電源から供給される電圧が増幅動作のみならず前記共通増幅装置の制御も不可能となる第２の規定電圧値以下に低下した場合、外部の電源からの電力供給を遮断する手段を有する請求項１に記載の共通増幅装置について規定している。
【０００６】
【発明の実施の形態】
以下、図により本発明の詳細を説明する。
図１は本発明による共通増幅装置１１の電源系を示す系統図である。図１において、共通増幅装置１１内の電源部１２には外部の電源ユニット１３からの電源供給を接続／遮断を行なうスイッチ１４が内蔵されている。外部の電源ユニット１３から供給された電力は、共通増幅装置１１内の電源部１２を経由して、共通増幅装置１１の温度上昇を抑えるためのファンユニット１５、入力信号を増幅するための主増幅器１６、この主増幅器１６で発生する信号の歪み成分を除去するための誤差増幅器１７、およびこれら各構成部分の動作を制御する制御部１８等に供給される。
【０００７】
図２は、図１に示した共通増幅装置１１の供給電力低下時における処理の手順を示す。外部の電源ユニット１３から供給される電力については、共通増幅装置１１の電源部１２で入力電源電圧Ｖｉを一定時間間隔で計測し監視する（ステップ２０１）。ここで、入力電源電圧Ｖｉの計測値が予め設定された第１の規定電圧値Ｖ１と比較され、その大小関係の判定が行なわれる（ステップ２０２）。この第１の規定電圧値Ｖ１とは共通増幅装置１１の増幅動作に支障を来たすが、共通増幅装置１１の制御（上位装置への通知、リセット動作等）には支障を来たさない範囲の電圧値を指す。測定された入力電源電圧Ｖｉが第１の規定電圧値Ｖ１以上であれば（Ｖｉ＞Ｖ１；ステップ２０２でＮ）共通増幅装置は動作状態を継続し得る状態であるから、処理は元に戻って入力電源電圧Ｖｉの計測監視を継続する。
しかし、入力電源電圧Ｖｉの計測値が上記第１の規定電圧値Ｖ１以下に低下すると（Ｖｉ＜Ｖ１；ステップ２０２のＹ）、図１に示した電源部１２において第１レベルのアラームを発生させ、共通増幅装置１１内蔵の主増幅器１６への電源供給を遮断して増幅動作を停止させる（ステップ２０３）。この場合、制御部１８は正常に動作可能な状態にあり、上位装置から共通増幅装置１１の稼動状態の把握および共通増幅装置１１のリセット等の操作は可能な状態にある。この状態で入力電源電圧Ｖｉと第２の規定電圧値Ｖ２との大小関係の計測が継続され、入力電源電圧Ｖｉが第２の規定電圧値Ｖ２以上の状態であれば（Ｖｉ＞Ｖ２；ステップ２０４のＮ）この入力電源電圧Ｖｉと第１の規定電圧値Ｖ１との大小関係がチェックされる（ステップ２０５）。この状態で入力電源電圧Ｖｉが第１の規定電圧値Ｖ１以下であれば（Ｖｉ＜Ｖ１；ステップ２０５のＮ）、入力電源電圧Ｖｉと第１の規定電圧値Ｖ１との電圧比較が継続される。入力電源電圧Ｖｉが第１の規定電圧値Ｖ１よりも大となった場合、すなわち、入力電源電圧Ｖｉが正常電圧範囲に復帰した場合（Ｖｉ＞Ｖ１；ステップ２０５のＹ）、復帰した時点から経過時間ｔの計測を開始し（ｔ＞Ｔ；ステップ２０６）、経過時間ｔが予め定められた時間Ｔを経過してもこの状態が保持されている場合は電源が正常に復帰したものと見做して、第１レベルのアラームの解除および増幅動作の再開が実行される（ステップ２０７）。
ここで、入力電源電圧Ｖｉが第２の規定電圧値Ｖ２よりもさらに低下した場合は（Ｖｉ＜Ｖ２；ステップ２０４のＹ）、制御部１８による共通増幅装置１１の制御は不可能となり、上位装置による共通増幅装置１１の稼動状況等のチェックも不可能となるため、共通増幅装置１１内蔵の電源部１２に設置されているスイッチ１４により外部の電源ユニット１３からの電力供給を完全に遮断すると同時に第２レベルのアラームを発生させる（ステップ２０８）。このスイッチ１４としては、半導体スイッチング回路、小型リレーあるいは通常のブレーカ等を適用し得るが、何れにしても第２レベルのアラームは重度の電源障害と判断し、保守員が現地に赴き、障害状況を確認の上しかるべき修復作業の後、手動で復帰させることとする。
【０００８】
【発明の効果】
以上述べたように、本発明によれば比較的電圧低下が少ない軽度の電源障害の場合は第１レベルのアラーム発生と同時に自動復帰可能とし、上位装置からの共通増幅装置の稼動状況チェックまたは制御が不可能な位に重度の電源障害に対しては第２レベルのアラーム発生を行なうと同時に電源供給自体を遮断する処理を行ない、保守員による復帰処理を待つ構成としている。この構成により、重度の障害の場合のみに保守員が共通増幅装置の設置場所に赴けば良く、システムの保守点検作業を著しく軽減することが出来るようになる。
【図面の簡単な説明】
【図１】本発明における共通増幅装置の電源系を示す系統図。
【図２】本発明における共通増幅装置の電源制御法を示すフロー図。
【図３】従来の共通増幅装置の電源系を示す系統図。
【符号の説明】
１１、３１：共通増幅装置          １２、３３：電源部
１３、３２：外部電源ユニット      １４：スイッチ
１５：ファンユニット              １６、３５：主増幅器
１７：誤差増幅器                  １８、３４：制御部
【図１】
2004235721.tif 000003
【図２】
2004235721.tif 000004
【図３】
2004235721.tif 000005